(57)【要約】      （修正有）【課題】車両用のインストルメントクラスタ、車両のインストルメントクラスタ用のゲージのポインタ、および、インストルメントクラスタ用のゲージのポインタを照明する工程を提供する。【解決手段】車両用のインストルメントクラスタは、フェースプレートを含むゲージと、フェースプレートに回転可能に連結されたポインタ２００と、フェースプレート上のゲージインジケータとを備える。ポインタ２００は、アーム２０２の対向する側にボトムプレート２１０及びトッププレート２１２を含むアーム２０２と、ボトムプレート２１０に連結されたリフレクタ２２０と、ボトムプレート２１０に連結された光源２１６とを備える。光源２１６は、アーム２０２沿いに光を発するように位置決めされており、リフレクタ２２０はトッププレート２１２を介して光を反射するように位置決めされている。【選択図】図２
2019049553.tif 000002
【特許請求の範囲】
【請求項１】
車両用のインストルメントクラスタであって、
フェースプレートと、このフェースプレートに回転可能に連結されたポインタと、前記フェースプレート上のゲージインジケータとを含むゲージを備え、
前記ポインタは、
アームであって、このアームの対向する側にあるボトムプレート及びトッププレートを含むアームと、
前記ボトムプレートに連結されたリフレクタと、
前記ボトムプレートに連結された光源と、
を備え、
前記光源は前記アーム沿いに光を発するように位置決めされており、前記リフレクタは前記トッププレートを介して前記光を反射するように位置決めされていることを特徴とするインストルメントクラスタ。
【請求項２】
前記トッププレートは半透明層を含む、請求項１に記載のインストルメントクラスタ。
【請求項３】
前記光源は発光ダイオード（ＬＥＤ）である、請求項１に記載のインストルメントクラスタ。
【請求項４】
前記光源に電気的に接続されたエネルギー源であって、エネルギーを前記光源へ供給して光を発させるエネルギー源をさらに備える、請求項１に記載のインストルメントクラスタ。
【請求項５】
前記エネルギー源は、成形回路部品（ＭＩＤ）、成形導電性部品、及びオーバーモールド導電性部品のうちの少なくとも１つを介して前記光源に電気的に接続されている、請求項４に記載のインストルメントクラスタ。
【請求項６】
前記ポインタは複数の光源を含む、請求項１に記載のインストルメントクラスタ。
【請求項７】
前記ポインタは複数のリフレクタを含み、前記複数の光源と前記複数のリフレクタとは、直列に前記アーム沿いに隣接して連結されている、請求項６に記載のインストルメントクラスタ。
【請求項８】
前記複数の光源は、掃引動作で前記ポインタを照明するように順次にオン及びオフされる、請求項６に記載のインストルメントクラスタ。
【請求項９】
前記複数の光源のそれぞれは、輝度、強度、及び色のうちの少なくとも１つからなる変化する特性を有する光を発する、請求項６に記載のインストルメントクラスタ。
【請求項１０】
前記ポインタ及び前記フェースプレートに連結された回転子をさらに備え、
前記回転子は前記ポインタを軸の周りに回転させ、前記アームは前記ゲージインジケータを指し示す、請求項１に記載のインストルメントクラスタ。
【請求項１１】
車両のインストルメントクラスタ用のゲージのポインタであって、
アームであって、このアームの対向する側にあるボトムプレート及びトッププレートを含むアームと、
前記アームに連結された光源であって、前記ポインタを照明する光を発する前記光源と、
前記ボトムプレート上に配置された反射層であって、前記トッププレートを介して前記光を反射する前記反射層と、を備えることを特徴とするポインタ。
【請求項１２】
前記車両の状態に応答して軸の周りに前記アームを回転させるように前記ポインタに連結された回転子をさらに備える、請求項１１に記載のポインタ。
【請求項１３】
直列に前記アームに連結された複数の光源をさらに備え、
前記光源は順次に光を発する、請求項１１に記載のポインタ。
【請求項１４】
前記トッププレートは、前記ポインタの外側から前記光源の可視性を低下させる半透明層を含む、請求項１１に記載のポインタ。
【請求項１５】
光は、前記ポインタから前記トッププレートを介してのみ反射される、請求項１１に記載のポインタ。
【請求項１６】
インストルメントクラスタ用のゲージのポインタを照明する工程であって、
前記ポインタの第１の部分から第１の光を発する工程と、
前記第１の部分に近接する前記ポインタからの透過用に前記第１の光を再指向する工程と、
前記第１の光を発した後に前記ポインタの第２の部分から第２の光を発する工程と、
前記第２の部分に近接する前記ポインタからの透過用に前記第２の光を再指向する工程と、
前記第２の光をオフにする前に前記第１の光をオフにして、前記ポインタを照明することが掃引効果を達成する工程と、
を備えることを特徴とするゲージのポインタを照明する工程。
【請求項１７】
前記第１の光を発した後であって前記第２の光を発する前に、前記ポインタの中間部分から中間光を発し、
前記中間部分に近接する前記ポインタからの透過用に前記中間光を再指向し、
前記第１の光をオフにした後であって前記第２の光をオフにする前に、前記中間光をオフにする、工程をさらに備える、請求項１６に記載のゲージのポインタを照明する工程。
【請求項１８】
前記第２の光を発する工程は、前記第１の光をオフにした工程の後に起こる、請求項１６に記載のゲージのポインタを照明する工程。
【請求項１９】
前記第１の光及び前記第２の光を発する工程は、輝度、強度、及び色のうちの少なくとも１つからなる特性を変化させる工程を有する、請求項１６に記載のゲージのポインタを照明する工程。
【請求項２０】
前記ポインタのトッププレートを介して前記光を透過させる工程をさらに備える、請求項１６に記載のゲージのポインタを照明する工程。
【発明の詳細な説明】
【背景技術】
【０００１】
車両は、乗員の視野内に設置されたインストルメントクラスタ（計器群）を一般的に含む。インストルメントクラスタは、乗員へ情報を表示するゲージを含む計器類のセットである。ゲージは、デジタルゲージまたはアナログゲージであることができる。デジタルゲージは、デジタルの読み値を使用して、車両における性能状態を乗員に通知する。一方、アナログゲージは、フェースプレート（面版）へ取り付けられてゲージインジケータの情報を指し示すように回転するポインタを介して読み値を表示する、機械的な製品である。インストルメントクラスタ内のポインタは、主に、一組のプラスチック部品を用いて組み立てられる。一般的に、ハードウェアＰＣＢボード上の分離したバックライト源は、ポインタのシリンダ軸（ポインタのシャフト）の基部に、またはポインタのキャップ領域より下に入る光を提供する。この実施形態を実施するための従来の方式は、ＰＣＢを介して光を提供し、キャップ内のリフレクタディッシュを介してこの光を反射することである。光は、ガイドされ、つぎにポインタの先端部沿いに再指向される。この配置において、ポインタは、ほぼ均一に照らされる。これらのようなポインタは、ポインタの一方の端部から他方の端部へ進行する高輝度の光を供給する、若しくは掃引光（sweep light）を供給する、または情報を様々に指し示すなど、光アニメーションを提示することが不可能である。
【発明の概要】
【０００２】
この節は、本開示の一般的な概要を提供し、その全範囲、またはその特徴、態様、及び目的のすべての網羅的な開示ではない。
【０００３】
本明細書に開示されるのは、フェースプレートを含むゲージと、フェースプレートに回転可能に連結されたポインタと、フェースプレート上のゲージインジケータとを含む車両用のインストルメントクラスタの一実施形態である。ポインタは、アームの対向する側にボトムプレート及びトッププレートを含むアームと、ボトムプレートに連結されたリフレクタと、ボトムプレートに連結された光源とを備える。光源はアーム沿いに光を発するように位置決めされており、リフレクタはトッププレートを介して光を反射するように位置決めされている。
【０００４】
また、本明細書に開示されるのは、車両のインストルメントクラスタ用のゲージのポインタの一実施形態である。ポインタは、ボトムプレート及びトッププレートを含むアームを備える。ボトムプレート及びトッププレートは、アームの対向する側にある。またポインタは、アームに連結された光源を含む。光源は、ポインタを照明するように光を発する。ポインタは、ボトムプレート上に配置された反射層をさらに備え、トッププレートを介して光を反射する。
【０００５】
また、本明細書に開示されるのは、インストルメントクラスタ用のゲージのポインタを照明する工程の一実施形態である。この工程は、ポインタの第１の部分から第１の光を発し、第１の部分に近接するポインタからの透過用に第１の光を再指向することを備える。また工程は、第１の光を発した後にポインタの第２の部分から第２の光を発し、第２の部分に近接するポインタからの透過用に第２の光を再指向することを備える。工程は、第２の光をオフにする前に第１の光をオフにして、ポインタを照明することが掃引効果を達成することをさらに備えるポインタ。
【０００６】
本開示は、添付の図面と併せて読むと、以下の発明を実施するための実施形態で最も良く理解される。一般的な実務に従い、図面のさまざまな特徴が縮尺通りではないことを強調する。対照的に、種々の特徴の寸法は、明瞭さのために任意に拡大または縮小される。
【図面の簡単な説明】
【０００７】
【図１】本開示の一実施形態による例示的なインストルメントクラスタである。
【図２】本開示の一実施形態によるポインタの側面図である。
【図３】本開示の一実施形態によるゲージのポインタを照明する例示的な工程のフローチャートである。
【発明を実施するための形態】
【０００８】
図１は、本開示の一実施形態によるインストルメントクラスタ１００を示す。インストルメントクラスタ１００は、デジタルまたはアナログゲージなどの様々なゲージを含む。インストルメントクラスタ１００は、タコメータ１０２、速度計１０４、燃料計１０６、油圧計１０８、オドメータ１１０、エンジン温度計１１２、バッテリ電圧計１１４などの、アナログゲージを含む。タコメータ１０２は、エンジンにおける、毎分の回転数、すなわちＲＰＭを表示する。速度計１０４は、車両の動作速度を表示する。燃料計１０６は、車両における燃料の量を表示する。油圧計１０８は、車両におけるオイルの量を表示する。オドメータ１１０は、車両が走行したマイル数を表示する。エンジン温度計１１２は、エンジンの温度を度で表示する。バッテリ電圧計１１４は、車両のバッテリ内に残っている電源の量を表示する。インストルメントクラスタ１００は、ブースト計、空燃比計、ターボブースト計、または真空計などの、車両の性能についての特定の情報を表示する、さまざまな追加のゲージを含むことができる。ゲージの任意のものが、アナログゲージ若しくはデジタルゲージ、または両方であることができる。たとえば、速度計１０４は、速度を指示するアナログゲージ、及び速度を表示するデジタルゲージを含むことができる。ゲージの任意のものが、異なる構成で設置されることができる。これらのゲージは、異なる形状及び／またはサイズであることもできる。任意のゲージを、単一のフェースプレート（面版、平面版）上に設置することができる。たとえば、燃料計１０６は、フェースプレート１１６上に設置される。同一のフェースプレート上に複数のゲージを設置することができる。たとえば、タコメータ１０２、油圧計１０８、及びバッテリ電圧計１１４は、フェースプレート１１８上に設置されている。
【０００９】
インストルメントクラスタカバー１２０は、インストルメントクラスタ１００を覆う。インストルメントクラスタカバー１２０は、インストルメントクラスタ１００の構成要素を外界から保護する一方で、乗員が当該構成要素をみることを可能にする。インストルメントクラスタカバー１２０は、レンズであることができる。これらのレンズは、プラスチックなどの材料から作製されることができる。インストルメントクラスタカバー１２０は、透明であり、またはインストルメントクラスタカバー１２０を介して入るグレア及び光の量を減少させるように着色されることにより、ゲージの可視性を向上させることができる。インストルメントクラスタカバー１２０は、インストルメントクラスタ１００の全体を覆う単一の部品であることができる。インストルメントクラスタカバー１２０は、ゲージを個々に、またはまとめて覆う独立した構成要素を含むことができる。
【００１０】
各ゲージは、フェースプレート、ゲージインジケータ、及びポインタを含む。たとえば、温度計は、フェースプレート１２２と、ゲージインジケータ１２４と、ポインタキャップ、すなわちキャップ１２８を含むポインタ１２６とを備える。別段の定めがない限り、フェースプレート１２２、ゲージインジケータ１２４、ポインタ１２６、及びキャップ１２８は、任意の開示された、フェースプレート、ゲージインジケータ、ポインタ、及びキャップをそれぞれ表す。フェースプレート１２２は、文字、数字、情報を表示するための切り抜き部、デバイスを取り付けるための切り欠き部、またはゲージインジケータ１２４などの別の情報ディスプレイのうちの少なくとも１つを含む。ゲージインジケータ１２４は、フェースプレート１２２上に設置されている。ゲージインジケータ１２４は、車両内のエンジンの温度、または速度計１０４用の速度を示す数字の範囲を示す温度計内の湾曲したバーなどの、情報を提供する。ポインタ１２６は、軸周囲でフェースプレートに回転可能に連結される。キャップ１２８は、ポインタ１２６に連結される。キャップ１２８は、回転軸周囲のポインタ１２６の一部用の円錐形のカバーであることができる。キャップ１２８は、ポインタ１２６とともに回転させることができる。ポインタ１２６は、車両情報に応じてフェースプレート１２２に対して回転する。たとえば、車両がオイル漏れを有する場合に、ポインタ１３０は、油圧が低下するような、低い油圧に対して「Ｌ」の方向へ回転し、油圧について適切な表示のところでゲージインジケータを指し示す。オイル漏れが直され、圧力が上昇する場合に、ポインタ１３０は、高い油圧に対して「Ｈ」の方向へ回転し、ポインタ１３０が油圧について適切な表示のところでゲージインジケータを指し示すと、ポインタは停止する。インストルメントクラスタ１００は、追加の、及び／またはより少ない構成要素を含むことができるが、図１に示されるこれらに限定されない。
【００１１】
図２を参照すると、ポインタ２００は、第１の部分すなわち後端部２０４、及び第２の部分すなわち先端部２０６を含む、アーム２０２を備える。後端部２０４及び先端部２０６は、アーム２０２の対向する端部にある。アーム２０２は、直線状、またはテーパ状であることができる。アーム２０２は、さまざまな厚さ及び／または幅を有することができる。アーム２０２は、中空部分を含む。アーム２０２は、後端部２０４においてシャフト２０８に取り付けられている。ポインタ２００は、ボトムプレート２１０及びトッププレート２１２を含むアーム２０２を備える。ボトムプレート２１０及びトッププレート２１２は、アーム２０２の対向する側にある。ポインタ２００は、半透明層２１４を含むことができる。半透明層２１４は、トッププレート２１２の少なくとも一部に連結されている。半透明層２１４は、光２１８が通過することを可能にする。また半透明層２１４は、光源２１６などの、ポインタ２００内の構成要素の可視性を低下させる、及び／またはこれらの構成要素を隠すことができ、これによりこれらの構成要素を、見えないようにする、または見えにくくする。換言すれば、車両の内側にいる乗員には、ポインタ２００が見えるが、ポインタ２００の内側に設置された構成要素は見えない。
【００１２】
ポインタ２００は、プラスチック、金属、または別の材料から作製されることが可能である。ポインタ２００は、材料の組み合わせから作製されることができる。たとえば、アーム２０２は、透明な、または半透明のプラスチックから作製されることができ、シャフト２０８は、金属または異なるプラスチック材料から作製されることができる。アーム２０２の少なくとも一部は、光２１８が通過することを可能にする材料から作製される。ポインタ２００は、アーム２０２及びシャフト２０８を含む、単一の本体を有することができる。アーム２０２及びシャフト２０８は、相互に連結されることができる。たとえば、アーム２０２及びシャフト２０８は、ファスナにより取り付けられることができる。
【００１３】
キャップ２０１は、後端部２０４においてポインタ２００に連結される。シャフト２０８は、ポインタ２００が回転し、さまざまゲージインジケータ、たとえば、ゲージインジケータ１２４の方向へ指示することができるように、フェースプレート（不図示）に動作可能に取り付けられる。シャフト２０８は、中空または中実であることができる。シャフト２０８は、回転を可能にする、円筒形状または別の形状であることができる。シャフト２０８は、ステッピングモータなどの、回転子に接続されることができる。アーム２０２がゲージインジケータを指し示すように、回転子は、シャフト２０８を介して軸Ａの周囲でポインタ２００を回転させる。回転子は、車両の状態に応答して軸Ａの周囲でアーム２０２を回転させることができる。車両状態は、温度、速度、油圧、ＲＰＭ、またはゲージを含む別の車両状態の変化を含むことができる。
【００１４】
ポインタ２００は、光源２１６を含む。光源２１６は、アーム２０２に設置されている。光源２１６は、ボトムプレート２１０に連結されることができる。光源２１６は、アーム２０２沿いに光２１８を発するように位置決めされており、リフレクタ２２０は、トッププレート２１２を介して光２１８を反射するように位置決めされている。光源２１６は、サイドプレートまたはトッププレート２１２などの、アーム２０２の別の位置に連結されることができる。光源２１６は、アーム２０２沿いに、及びアーム２０２の先端部２０６を介して、光２１８を発するように位置決めされることができる。光源２１６は、光２１８を発することによりポインタ２００を照明する。光源２１６は、アーム２０２沿いに直接に一体化されることができる。この配置において、光源２１６は、トッププレート２１２を介して直接に、またはアーム２０２内に光２１８を再指向する反射面により間接的に、光２１８を発することができる。光源２１６は、発光ダイオード（ＬＥＤ）であることができる。
【００１５】
ポインタ２００は、複数の光源２１６を含むことができる。光源２１６は、アーム２０２沿いに直列に位置決めされることができる。アーム２０２は、さまざまなインストルメントクラスタ１００の実施形態に改善された照明及び美観を提供するように照明される。複数の光源２１６は、光源２１６を相互から隔離する複数の反射面と共に、アーム２０２内に設置されている。この配置は、アーム２０２内で複数の色及びアニメーションを可能にする。
【００１６】
反射面は、リフレクタ２２０及び／または反射層２２２を含むことができる。リフレクタ２２０は、ボトムプレート２１０に連結されることができる。ポインタ２００は、ボトムプレート２１０に連結された複数のリフレクタ２２０を含むことができる。反射層２２２は、ボトムプレート２１０の少なくとも一部上に配置されている。反射層２２２は、コーティングであることができる。反射層２２２は、光２１８を反射する。リフレクタ２２０及び反射層２２２の両方は、光源２１６からトッププレート２１２の方向へ発せられる光２１８を反射するように位置決めされることができる。特に、リフレクタ２２０及び反射層２２２は、アーム２０２内に光２１８を再指向する。光２１８が反射されない場合に、光２１８は、先端部２０６を介してアーム２０２沿いに進行することができる。また光２１８は、先端部２０６を介して進行するのを遮断されることができる。光２１８は、先端部２０６及びトッププレート２１２の両方を介して進行することもできる。光２１８は、ポインタ２００を介して他の方向に進行することができる。
【００１７】
各光源２１６及び各リフレクタ２２０は、光源２１６とリフレクタ２２０とが直列をなしてアーム２０２沿いに隣接し、連結されることができる。さまざまな方法で光２１８を発することができる。光アニメーションは、乗員に車両状態の警告を出すことなどにより、追加の情報を提供することができる。複数の光源２１６のそれぞれは、輝度、強度、及び色のうちの少なくとも１つからなる変化する特性を有する光２１８を発することができる。たとえば、光源２１６は、車両の燃料が少ないときに赤色光を発する。光源２１６は、燃料が満杯であるときに緑色を発する。ポインタ２００が満杯のゲージインジケータから空のゲージインジケータへ回転する際に、光源２１６は、光２１８の色の範囲を発する。光源２１６は、高輝度の光を発することができる。光源２１６は、低輝度の光を発することができる。光源２１６は、特定の光源２１６において高輝度の光を、及びアーム２０２沿いの別の光源２１６において低輝度の光を発することができる。たとえば、高輝度の環境光２１８の状態において、乗員が車両状態をみることが可能であるように高輝度の光を発することができる。低輝度の環境光２１８の状態において、乗員が光２１８により視覚を損なわないように、光源２１６は低輝度の光を発することができる。
【００１８】
複数の光源２１６は、順次にオン及びオフになってポインタ２００を照らし、トッププレート２１２を介して、及び／または先端部２０６を介して、光２１８を発することができる。複数の光源２１６は、順次にオン及びオフになって掃引動作（sweeping movement）でポインタ２００を照らすことができる。光２１８は、ポインタ２００の一方の先端部から他方の先端部へ進行する、掃引光（sweep light）として作用する。たとえば、光源２１６は、後端部２０４から先端部２０６の方向へ進行する光２１８を発する。各光源２１６は、光２１８が先端部２０６から後端部２０４へ掃引するように一定期間のみ光２１８を発する。掃引は、先端部２０６から基部へ発生することもできる。光源２１６は、掃引を繰り返すことができる。また光源２１６は、オン及びオフになることを繰り返し、明滅を表現することができる。光２１８をアーム２０２の単一の部分においてアーム２０２から発することができる。光２１８をアーム２０２のさまざま部分においてアーム２０２から発することができる。光２１８をアーム２０２の全体から発することができる。
【００１９】
光源２１６は、エネルギー源に対する電気接続２２４を有することができる。エネルギー源は、エネルギーを光源２１６へ供給して光２１８を発させる。電気接続２２４は、プリント配線などの、ＭＩＤ技術の使用によりポインタ２００を介して達成されることができる。電気接続２２４は、成形またはオーバーモールド導電性部品を介して達成されることができる。電気接続２２４は、シャフト２０８に連結されることができる。電気接続２２４は、シャフト２０８内に、またはシャフト２０８の外側に、設置されることができる。たとえば、電気接続２２４は、後端部２０４付近に設置された光源２１６に接続される。ポインタ２００は、１つより多い電気接続２２４を含むことができる。エネルギー源は、バッテリ電源、太陽光発電、または別のエネルギー源を含むことができる。ポインタ２００は、追加の、及び／またはより少ない構成要素を含むことができるが、図２に示されるものに限定されない。
【００２０】
図３は、インストルメントクラスタ１００についてのゲージのポインタ２００を示す例示的な工程３００のフローチャートである。概して、図２の構成要素は、工程３００に使用される。この例示的な実施形態において、第１の部分は、後端部２０４に近接するアーム２０２の一部を表し、第２の部分は、先端部２０６に近接するアーム２０２の一部を表し、中間部分は、後端部２０４と先端部２０６との間のアーム２０２の一部を表す。中間部分は、後端部２０４または先端部２０６に設置されることができる。他の実施形態において、第１の部分、中間部分、及び第２の部分は、ポインタ２００上の任意の部分であることができる。
【００２１】
工程３００は、ステップ３０２において開始する。ステップ３０２は、第１の部分において第１の光を発する第１の光源を含む。ステップ３０２において第１の光を発した後に、ポインタ２００からの透過用に第１の光を第１の部分に近接して再指向することができる。固定された反射面を使用して、光を再指向することができる。工程３００は、判定ステップ３０４及びステップ３０８へ進行する。判定ステップ３０４において、第１の光源をオンに保つ判定、または第１の光源をオフにする判定を行う。第１の光源がオンのままであるべき場合に、判定ステップ３０４は、第１の光源がオフになるまでループする。ステップ３０６において、第１の光源は、オフになり、工程３００は、判定ステップ３２０に続く。判定ステップ３２０において、別の光源をオンにする判定を行う。この判定が別の光源をオンにしないことである場合に、工程３００は、ステップ３２２に続く。ステップ３２２は、スタンバイモードである。工程３００は、スタンバイモードを終了する、またはスタンバイモードの期間中のままであることができる。この期間の後に、第１の光源についての工程３００は、終了する。判定が別の光源をオンにすることである場合に、工程３００は、以下にさらに詳細に記述されるように、ステップ３１４に続く。別の実施形態において、また工程３００は、ステップ３０２、ステップ３０８、またはステップの任意の組み合わせに続いて光源をオンにすることができる。
【００２２】
ステップ３０８は、中間部分において第２の光を発する第２の光源を含む。ステップ３０８において、第２の光を発した後に、ポインタ２００からの透過用に第２の光を中間部分に近接して再指向することができる。固定された反射面を使用して、光を再指向することができる。工程３００は、判定ステップ３１０及びステップ３１４に進行する。判定ステップ３１０において、第２の光源をオンに保つ判定、または第２の光源をオフにする判定を行う。第２の光源がオンのままであるべき場合に、判定ステップ３１０は、第２の光源をオフにすべきときになるまでループする。ステップ３１２において、第２の光源をオフにし、工程３００は判定ステップ３２０に続く。工程３００は、第１の光源について上述したように、第２の光源に対して続く。
【００２３】
ステップ３１４は、中間部分において第ｎの光を発する、第ｎの光源を含む。ステップ３１４において第ｎの光を発した後に、ポインタ２００からの透過用に第ｎの光を中間部分に近接して再指向することができる。固定された反射面を使用して、光を再指向することができる。第ｎの光源の位置は、アーム２０２上のいずれの位置でもよい。オンになる最後の第ｎの光源は、第２の部分に設置されることができる。光源２１６は、第１の部分から第２の部分へアーム２０２沿いに直列に設置されることができる。光源２１６は、第２の部分から第１の部分へアーム２０２沿いに直列に設置されることができる。光源２１６は、任意の組み合わせで、及び／または位置に設置されることができる。工程３００は、ステップ３１４から判定ステップ３１６へ進行する。判定ステップ３１６において、第ｎの光源をオンに保つ判定、または第ｎの光源をオフにする判定を行う。第ｎの光源がオンのままであるべき場合に、判定ステップ３１６は、第ｎの光源をオフにすべきときになるまでループする。ステップ３１８において、第ｎの光源をオフにし、工程３００は判定ステップ３２０に続く。工程３００は、第１の光源について上述したように、第ｎ光源へ続く。
【００２４】
工程３００は、追加の、及び／またはより少ない工程を有することができるが、図３に示されるものに限定されない。たとえば、工程３００は、第１の光を発した後にポインタ２００の第２の部分から第２の光を発すること、及び第２の部分に近接するポインタ２００からの透過用に第２の光を再指向することを備えることができる。工程３００は、第２の光をオフにする前に第１の光をオフにすることをさらに備えることができ、そこでポインタ２００を照明することは、掃引効果を達成する。第２の光源は、第１の光源が第１の光をオフにした後に第２の光を発することができる。代替に、第１の光源が第１の光を発しながら、第２の光源が第２の光を発することができる。複数の光源を、同時に、または別々の時間にオンにすることができる。複数の光源を、同時に、または別々の時間にオフにすることができる。いくつかの光源を、他の光源がオフ状態にありながら、同時にオンにすることができる。
【００２５】
また工程３００は、第１の光を発した後であって第２の光を発する前に、ポインタ２００の中間部分から中間光を発すること、及び中間部分に近接するポインタ２００からの透過用に中間光を再指向することを備えることができる。また工程３００は、第１の光をオフにした後であって第２の光をオフにする前に、中間光をオフにすることを備えることができる。第１の光及び第２の光を発しながら、中間光を発することができる。
【００２６】
発せられるいかなる光２１８も、異なる特性を有することができる。工程３００は、輝度、強度、及び色のうちの少なくとも１つからなる変化する特性を有する第１の光及び第２の光を発することを備えることができる。たとえば、工程３００は、第１の光を低強度により発した後に、高強度を有する第２の照明を発することを備えることができる。強度は、経時的に変化することができる。発せられる光２１８は、１つの特性から始まり、設定された時間の後に変化することができる。たとえば、第１の光源は、第２の光源が高強度を有する第２の光を発するときに弱まる、高強度を有する第１の光を発する。
【００２７】
光源２１６は、直接的な、または間接的な手段を介して、ポインタ２００を照明することができる。光源２１６は、先端部２０６を介して直接に光を発することができる。光源２１６は、トッププレート２１２を介して直接に光を発することができる。また光源２１６は、ポインタ２００を照明し、ポインタ２００のトッププレート２１２を介して光２１８を間接的に透過させることができる。この状況において、光２１８は、反射層２２２及び／またはリフレクタ２２０などの、反射面により間接的に再指向される。再指向された光は、トッププレート２１２の方向へ、及びこれを介して進行することができる。
【００２８】
本開示は、特定の実施形態に関して記述されていながら、本開示が開示された実施形態に限定されていないが、対照的に、添付の特許請求の範囲内に含まれる、さまざまな変更形態、及び均等物配置を包含することが意図されることは当然に理解できる。この範囲は、法の下に許されるような、すべてのこれらのような変更形態、及び均等物構造を網羅するように、最も広い解釈を当然に与えられる。
【図１】
2019049553.tif 000003
【図２】
2019049553.tif 000004
【図３】
2019049553.tif 000005